(57)【要約】【課題】ルビジューム発振器や恒温槽付き水晶発振器のような高価な発振器を使用しないで、安定で小さい周波数偏差を実現し、安価な送信システムを提供する。【解決手段】ワンセグコミュニティーＴＶ放送送信機において、基準発振器として、一般放送波を受信する第２アンテナと該第２アンテナが受信した信号を入力する１セグチューナと該１セグチューナの出力を入力するクロックリカバリ回路を設け、該クロックリカバリ回路からの出力をローカルシンセサイザに入力するように構成した。【選択図】      図１
2010141587.tif 000002
【特許請求の範囲】
【請求項１】
原信号を入力して多重化、伝送符号化を含む処理を行うデータ変換部と、該データ変換部からの出力信号を入力してＯＦＤＭ変調を行う変換器と、該変換器からの出力信号を入力して送信周波数へのアップコンバートを行う周波数変換部と、該周波数変換部からの出力信号を入力して出力レベルまで増幅する増幅器と、該増幅器からの出力信号を入力して不要輻射を除去するフィルタと、該フィルタからの出力を送信する第１アンテナと、前記第１アンテナから送信される送信周波数を生成し、生成した送信周波数を前記変調器と周波数変換部に供給するローカルシンセサイザと、該ローカルシンセサイザに基準発振周波数を供給する基準発振器を具備するワンセグコミュニティーＴＶ放送送信機において、
前記基準発振器として、一般放送波を受信する第２アンテナと該第２アンテナが受信した信号を入力する１セグチューナと該１セグチューナの出力を入力するクロックリカバリ回路を設け、該クロックリカバリ回路からの出力を前記ローカルシンセサイザに入力するように構成したことを特徴とするワンセグコミュニティーＴＶ放送送信機。
【請求項２】
原信号を入力して多重化、伝送符号化を含む処理を行うデータ変換部と、該データ変換部からの出力信号を入力してＯＦＤＭ変調を行う変換器と、該変換器からの出力信号を入力して送信周波数へのアップコンバートを行う周波数変換部と、該周波数変換部からの出力信号を入力して出力レベルまで増幅する増幅器と、該増幅器からの出力信号を入力して不要輻射を除去する第１フィルタと、該第１フィルタからの出力を送信するアンテナと、前記アンテナから送信される送信周波数の偏差周波数を生成し、生成した偏差周波数を前記変調器と周波数変換部に供給するローカルシンセサイザと、該ローカルシンセサイザに基準発振周波数を供給する基準発振器を具備するワンセグコミュニティーＴＶ放送送信機において、
前記基準発振器として、前記第１フィルタの後段にサーキュレータを設け、前記アンテナで受信した一般放送波を前記サーキュレータを介して入力する１セグチューナと、該１セグチューナの出力を入力するクロックリカバリ回路を設け、該クロックリカバリ回路からの出力を前記ローカルシンセサイザに入力するとともに、前記サーキュレータと前記１セグチューナの間に第２フィルタを設け前記アンテナから送信する送信信号が１セグチューナ側に漏洩しないように構成したことを特徴とするワンセグコミュニティーＴＶ放送送信機。
【発明の詳細な説明】
【技術分野】
【０００１】
本発明は、ワンセグコミュニティＴＶ放送送信機に関し、詳しくはエリア限定のワンセグコミュニティーＴＶ放送送信機の基準信号安定化と低価格化を図ったワンセグコミュニティーＴＶ放送送信機に関する。
【背景技術】
【０００２】
放送は、市民の生活に必要な情報を提供し、安心して豊かな暮らしを支えるサービスを行っている。このため電波法によって無線設備の周波数や空中線電力の技術基準を厳しく定め、安定的に利用できるように配慮されている。
【０００３】
そこで、高安定な基準周波数を機器内部に備え、この基準周波数をリファレンスとして電圧制御型水晶発振器（ＶＣＸＯ）の制御入力にＰＬＬ（Ｐｈａｓｅ  Ｌｏｃｋｅｄ  Ｌｏｏｐ）をかけることで、高精度の信号処理用クロック信号を生成するクロック生成回路を利用することが考えられている。
【０００４】
図３は一般的なＴＶ送信機のブロック図である。映像・音声や文字・図形などのデータを含む信号入力（原信号）Ａは、データ変換部１でデータ圧縮やエラー訂正信号付加等が行われ、変調器２でＯＦＤＭ（直交波周波数分割多重・・・Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調され、その後周波数変換部３で送信周波数へのアップコンバート（映像の画面サイズをより大きなものに変換）し、増幅器４で出力レベルまで増幅し、フィルタ５で不要輻射をカットして、アンテナ６から送信される。
【０００５】
送信周波数の偏差は内部で使われるいろいろな周波数を作っているローカルシンセサイザ８および基準発振器７で決まるが、ＡＲＩＢ  ＳＴＤ−Ｂ３1（標準規格名：地上デジタルテレビジョン放送の伝送方式）で決められている偏差を実現するために従来は図３に示す基準発振器７として、ルビジューム発振器や恒温槽付き水晶発振器等の超高安定発振器を使用する必要があった。
【０００６】
エリア限定のワンセグコミュニティーＴＶ放送送信機に関する先行技術しては下記の特許文献が知られている。
【特許文献１】特開２００２−０６４５７３
【特許文献２】特開２００７−２３５５７８
【発明の開示】
【発明が解決しようとする課題】
【０００７】
ところで、ルビジューム発振器や恒温槽付き水晶発振器は非常に高額であり、送信機の価格を押上げる要因となっている。
従って本発明は高価な発振器を使用しないで、安定で小さい周波数偏差を実現し、安価な送信システムを提供することを目的としている。
【課題を解決するための手段】
【０００８】
本発明は上記問題点を解決するためになされたもので、請求項１記載のワンセグコミュニティＴＶ放送送信機の発明においては、
原信号を入力して多重化、伝送符号化を含む処理を行うデータ変換部と、該データ変換部からの出力信号を入力してＯＦＤＭ変調を行う変換器と、該変換器からの出力信号を入力して送信周波数へのアップコンバートを行う周波数変換部と、該周波数変換部からの出力信号を入力して出力レベルまで増幅する増幅器と、該増幅器からの出力信号を入力して不要輻射を除去するフィルタと、該フィルタからの出力を送信する第１アンテナと、前記第１アンテナから送信される送信周波数を生成し、生成した送信周波数を前記変調器と周波数変換部に供給するローカルシンセサイザと、該ローカルシンセサイザに基準発振周波数を供給する基準発振器を具備するワンセグコミュニティーＴＶ放送送信機において、
前記基準発振器として、一般放送波を受信する第２アンテナと該第２アンテナが受信した信号を入力する１セグチューナと該１セグチューナの出力を入力するクロックリカバリ回路を設け、該クロックリカバリ回路からの出力を前記ローカルシンセサイザに入力するように構成したことを特徴とする。
【０００９】
請求項２のワンセグコミュニティＴＶ放送送信機の発明においては、
原信号を入力して多重化、伝送符号化を含む処理を行うデータ変換部と、該データ変換部からの出力信号を入力してＯＦＤＭ変調を行う変換器と、該変換器からの出力信号を入力して送信周波数へのアップコンバートを行う周波数変換部と、該周波数変換部からの出力信号を入力して出力レベルまで増幅する増幅器と、該増幅器からの出力信号を入力して不要輻射を除去する第１フィルタと、該第１フィルタからの出力を送信するアンテナと、前記アンテナから送信される送信周波数の偏差周波数を生成し、生成した偏差周波数を前記変調器と周波数変換部に供給するローカルシンセサイザと、該ローカルシンセサイザに基準発振周波数を供給する基準発振器を具備するワンセグコミュニティーＴＶ放送送信機において、
前記基準発振器として、前記第１フィルタの後段にサーキュレータを設け、前記アンテナで受信した一般放送波を前記サーキュレータを介して入力する１セグチューナと、該１セグチューナの出力を入力するクロックリカバリ回路を設け、該クロックリカバリ回路からの出力を前記ローカルシンセサイザに入力するとともに、前記サーキュレータと前記１セグチューナの間に第２フィルタを設け前記アンテナから送信する送信信号が１セグチューナ側に漏洩しないように構成したことを特徴とする。
【発明の効果】
【００１０】
以上説明したことから明らかなように本発明の請求項１，２によれば、次のような効果がある。ルビジューム発振器や恒温槽付き水晶発振器のような高価な発振器を使用しないで、安定で小さい周波数偏差を実現し、安価な送信システムを提供することができる。
【発明を実施するための最良の形態】
【００１１】
図１は本発明のワンセグコミュニティＴＶ放送送信機の実施形態の一例を示すもので、図３に示す従来例とは基準発生器の代わりに第２アンテナを介して１セグチューナに一般放送波を取り入れ、この１セグチューナからの出力をクロックリカバリ回路に入力し、その出力をローカルシンセサイザに入力した点が異なっている。
【００１２】
即ち、原信号Ａは従来と同様、データ変換部１でデータ圧縮やエラー訂正信号付加が行われ、変調器２でＯＦＤＭ変調され、その後周波数変換部３で送信周波数へのアップコンバートが行われ、増幅器４で出力レベルまで増幅され、フィルタ５で不要輻射がカットされて、アンテナ６から送信される。
【００１３】
ここで、本実施例ではローカルシンセサイザ８への入力として、ＡＲＩＢ  ＳＴＤ−Ｂ３1で決められている偏差を実現する手段として、
１）第２アンテナ１０１を用いて既に放送されている地上デジタルワンセグＴＶ放送（一般放送波）を受信して、ワンセグチューナ１０２に入力する。
【００１４】
２）次に、ワンセグチューナ１０２で放送信号を復調し、
３）復調された信号から、電圧制御水晶発振器型の低ジッタクロックリカバリ回路１０３
で基準信号を再生し、その再生した信号にローカルシンセサイザ８を同期させ、送信機内で使用される各種ローカル信号を生成する。
この場合、送信周波数をｆ0、変調器に入るローカル信号をｆｍ、周波数変換部のローカル信号をｆｌとするとｆ0＝ｆｍ＋ｆｌとなる。
【００１５】
上述の構成によればルビジューム発振器や恒温槽付き水晶発振器を用いたと同様に安定で小さい周波数偏差を実現することができる。
即ち、第２アンテナ１０１，１セグチューナ１０２、クロックリカバリ回路１０３の価格はルビジューム発振器と比べると１００分の1、恒温槽付き水晶発振器と比べると数分の1程度の費用で構成可能であり、ルビジューム発振器や恒温槽付き水晶発振器を用いた場合と同等に近い周波数偏差を実現することが出来る。
【００１６】
図２は他の実施例を示すもので、アンテナ６を共用化した例である。
図２において、図１と同一要素には同一符号を付して重複する説明は省略するが、図１と異なる点は第１フィルタ５の後段にサーキュレータ２０１を設け、更にサーキュレータ２０１の後段に第２フィルタ２０２を設けてアンテナ６から送信する送信信号が１セグチューナ１０２側に漏洩しないようにすることで、1つのアンテナ６で送受信を実現可能としている。
【００１７】
本発明のワンセグコミュニティＴＶ放送送信機は、地上デジタルＴＶ放送用ギャップフィラーのうち、小さい周波数偏差の求められるものに対しても、基準信号発生回路として使用可能である。
また、実施例ではワンセグ放送を受信して基準信号を作っているが、ワンセグに拘らず、通常放送やハイビジョン放送でも同様に実現することができる。ただしコストやスペースの面からは、ワンセグのほうが専用チューナが使える分だけ有利である。
【００１８】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【図面の簡単な説明】
【００１９】
【図１】本発明のワンセグコミュニティＴＶ放送送信機の実施形態の一例を示すブロック構成図である。
【図２】他の実施例を示すワンセグコミュニティＴＶ放送送信機の一例を示すブロック構成図である。
【図３】従来のワンセグコミュニティＴＶ放送送信機の一例を示すブロック構成図である。
【符号の説明】
【００２０】
Ａ      入力信号（源信号）
１      データ変換部
２      変調器
３      周波数変換部
４      増幅器
５      フィルタ（第１）
６      アンテナ（第１）
７      基準発振器
８      ローカルシンセサイザ
１０１  第２アンテナ
１０２  １セグチューナ
１０３  クロックリカバリ回路
２０１  サーキュレータ
２０２  第２フィルタ
【図１】
2010141587.tif 000003
【図２】
2010141587.tif 000004
【図３】
2010141587.tif 000005